(57)【要約】      （修正有）【課題】天候に関係なく狭い場所で昼夜何時でも運転出来、安価に実施出来る遠心バネ錘を有する慣性・他励パルス発電機を提供する。【解決手段】本遠心バネ錘を有する慣性・他励パルス発電機１００は、直流他励モータ１に連結される起動回路５と逆電流回路６と発電回路７とフィールド回路８とを有する。直流他励モータの回転軸には遠心バネ錘円板２と直流発電機３が連結され、バッテリーによるモータ回転と遠心バネ錘の慣性モーメントによるモータ回転を切り替えることで３６００γｐｍから３０００γｐｍ間の回転変化に対応してパルス発電を行い、回転を続けると共に電力のチャージ発電を行う。【選択図】図１
0003185510.tif 000002
【実用新案登録請求の範囲】
【請求項１】
直流他励モータを起動する起動回路Ａと、前記モータの停止時に起動される逆電流回路Ｂと、フィールド回路Ｄとを有し、前記モータにはその回転軸に遠心バネ錘円板を有すると共にその回転軸上に前記遠心バネ錘円板の回転によって生ずる慣性モーメントによって発電する小型直流発電機を有するものからなり、前記小型直流発電機には発電回路Ｃが形成されることを特徴とする遠心バネ錘を有する慣性・他励パルス発電機。
【考案の詳細な説明】
【技術分野】
【０００１】  本考案は、天候に関係なく狭い場所で昼夜何時でも運転出来、比較的安価に実施出来る遠心バネ錘を有する慣性・他励パルス発電機に関する。
【背景技術】
【０００２】  一般に使用されている自然エネルギーを利用した発電機構としてはソーラ発電，風車発電等があるがこれ等は昼夜を通して運転出来なかったり台風等の天候の変化によっては運転が制限されたり、設備，場所，面積，構築高さ等の制限があり、コスト高となる問題点が有る。
以上の問題点を解決する１つの発電方法として同一出願人による「特許文献１」があるが、このものは遠心バネ錘円板を用いた慣性力による発電機構を有するものでなく、かつ全般回路構造が複雑のものであった。
【先行技術文献】
【特許文献】
【０００３】
【特許文献１】  「実用新案登録第３１４９０３０号」（図１）
【考案の概要】
【考案が解決しようとする課題】
【０００４】  前記の「特許文献１」の「実用新案登録第３１４９０３０号」の「慣性・他励集電機」は前記のように本考案の出願人と同一の出願人によるものであり、その目的とする内容は類似する技術ではあるが、全体の回路構造が少し複雑であると共に遠心バネ錘円板を併用して発電をするものでなく、同一技術的範疇のものとは言えない。【０００５】  本考案は、以上の不十分の点を改善すると共に回転慣性モーメントに起因する機械的エネルギーを利用して発電を行い従来のように自然エネルギーを利用した発電と相異し外設備，場所，面積，構築高さなどのコスト高になる要因がなく、昼夜及び天候に関係なく、狭い場所で比較的低コストで実施出来る遠心バネ錘を有する慣性・他励パルス発電機を提供することを目的とする。
【課題を解決するための手段】
【０００６】  本考案は、以上の目的を達成するために、請求項１の考案は、直流他励モータを起動する起動回路Ａと、前記モータの停止時に起動される逆電流回路Ｂと、フィールド回路Ｄとを有し、前記モータにはその回転軸に遠心バネ錘円板を有すると共にその回転軸上に前記遠心バネ錘円板の回転によって生ずる慣性モーメントによって発電する小型直流発電機を有するものからなり、前記小型直流発電機には発電回路Ｃが形成されることを特徴とする。
【考案の効果】
【０００７】  本考案の請求項１の遠心バネ錘を有する慣性・他励パルス発電機によれば、パルス発電によりキャパシタを介してバッテリの充電を行うと共に慣性モーメントによる機械的の発生により発電を行うようにし、従来の発電機の問題点を解決し連続運転を可能にし電力供給効率の向上を図ることが出来る。
【図面の簡単な説明】
【０００８】
【図１】本考案の全体構成を示す回路構成図。
【図２】本考案に使用される遠心バネ錘円板の平面図。
【考案を実施するための形態】
【０００９】  以下、本考案の遠心バネ錘を有する慣性・他励パルス発電機の実施の形態を図面を参照して詳述する。
図１は本考案の遠心バネ錘を有する慣性・他励パルス発電機１００の回路構成を含む全体構成を説明するための図である。
【００１０】  図１に示すように遠心バネ錘を有する慣性・他励パルス発電機１００は主として次の内容のものからなる。即ち、直流他励モータ１（ＭＧと表示）と、この回転軸４上に設けられている遠心バネ錘円板２（本実施例では１対のものからなる）と、回転軸４と同一軸上に配置される直流発電機３（本実施例では１対のものからなる）と、起動回路５（Ａで示す）と、逆電流回路６（Ｂで示す）と、直流発電機３に連結されている発電回路７（Ｃで示されている）と、フィールド回路８等とからなる。
【００１１】  起動回路５は直流他励モータ１に連結する閉回路からなりスイッチ９とスイッチ１０とバッテリ１１（本実施例では２４Ｖ）等とからなる。
【００１２】  逆電流回路６は直流他励モータ１に連設する閉回路からなり、キャパシタ１２（本実施例では２４Ｖ），１３（本実施例では１２Ｖ）とスイッチ１５，１６等とからなりキャパシタ１２はバッテリ１１と対峙して配置されキャパシタ１３はフィールド回路８の電源用のバッテリ１４と対峙して配置される。
【００１３】  発電回路７には直流発電機３と連がるバッテリ１７が配置される。
【００１４】  フィールド回路８にはスイッチ１８と抵抗１９が配置され直流他励モータ１のフィールドとして機能すべく配設される。
【００１５】  次に、遠心バネ錘円板２の概要構造を図２により説明する。
円板２０には互いに直角に４箇所のスライド溝２１が形成され、このスライド溝２１内には錘２２が摺動可能に保持される。この錘２２はスプリング２３により保持されると共に円板２０の外方に飛び出ししないように形成されている。また、円板２０の中心には図１の回転軸４の嵌り込む孔２４が形成されている。
以上の構造により、円板２０が回転軸４により回転されると遠心力により錘２２はスプリング２３を圧縮しながら外方に向かって移動する。これにより、大きな慣性モーメントが発生する。一方、回転軸４の回転をストップするとスプリング２３のリアクション力により錘２２は中心側に向かって移動することになる。この遠心バネ錘円板２の回転による機械的エネルギーの発生によりこれに連結されている直流発電機３は回転し発電しバッテリ１７に電力をチャージすることになる。
【００１６】  次に、本考案の遠心バネ錘を有する慣性・他励パルス発電機１００の発電動作等を主として図１により説明する。
【００１７】  まず、初期動作として起動回路５のスイッチ９，１０を閉、フィールド回路８のスイッチ１８を閉とする。これによりバッテリ１１からの電力により直流他励モータ１が回転するがフィールド回路８の抵抗がほとんど零に近いため電流が大となり直流他励モータ１は急激に高回転となる。本実施例では３６００γｐｍを最高回転数としスイッチ１８を開とし抵抗１９を序々に調整する。この３６００γｐｍにて遠心バネ錘円板２の錘２２は最も外側に移動し、大きな慣性モーメントを発生させることになる。
【００１８】  以上の状態になったらスイッチ９，１０を開としスイッチ１５，１６を閉とする。ここで抵抗１９の抵抗を大きくフィールド回路８の電流を下げると共に直流他励モータ１の回転を停止させる如き動作をすると逆電流が逆電流回路６に流れ、キャパシタ１２や１３へのチャージが開始される。同時に遠心バネ錘円板２の回転も下り、本実施例では３０００γｐｍの所を最低回路数としこの状態で錘２２は最も中心よりに移動する。
【００１９】  直流他励モータ１の回転数が３０００γｐｍまで下がったらスイッチ１５，１６を開とし、スイッチ９，１０を閉とし再び起動を開始する。
以上の動作によりパルス電流が発生し直流他励モータ１の回転が永続的に動作され、かつ遠心バス錘円板２によるバッテリ１７へのチャージが行われることになる。
【００２０】  本考案の内容は以上の説明の内容からなるが、これに限定するものではなく同一技術的範疇のものに適用されることは勿論である。
【産業上の利用可能性】
【００２１】  本考案の遠心バネ錘を有する慣性・他励パルス発電機１００は自然エネルギーを用いた各種の発電機や電源として利用され、例えば家庭用のインバータ発電機，船舶用バッテリの補充充電電源，農業用移動電源，揚水ポンプ散水機の電源はもとよりレジャー用電源や非常用防災電源等広く利用されその利用範囲は極めて広い。
【符号の説明】
【００２２】  １      直流他励モータ
２      遠心バネ錘円板
３      直流発電機
４      回転軸
５      起動回路（Ａ）
６      逆電流回路（Ｂ）
７      発電回路（Ｃ）
８      フィールド回路（Ｄ）
９      スイッチ
１０    スイッチ
１１    バッテリ（２４Ｖ）
１２    キャパシタ（２４Ｖ）
１３    キャパシタ（１２Ｖ）
１４    バッテリ
１５    スイッチ
１６    スイッチ
１７    バッテリ
１８    スイッチ
１９    抵抗
２０    円板
２１    スライド溝
２２    錘
２３    スプリング
２４    孔
１００  遠心バネ錘を有する慣性・他励パルス発電機
【図１】
0003185510.tif 000003
【図２】
0003185510.tif 000004